(57)【要約】【課題】コインの投入の有無に拘わらず所定の人為的入力によって商品を排出させることができるコイン式の商品排出機を提供すること。【解決手段】操作ハンドルの排出操作をロックするハンドルロック機構と、所定のコインの投入があったときに前記ハンドルロック機構によるロックを解除させる第１のハンドルロック解除機構とを備え、前記操作ハンドルが排出操作されたとき商品を排出する商品排出機であって、所定のコインの投入に拘わらず所定の人為的入力によって駆動されて前記ハンドルロック機構によるロックを解除させる第２のハンドルロック解除機構を備える。【選択図】図１８
2008027226.tif 000002
【特許請求の範囲】
【請求項１】
操作ハンドルの排出操作をロックするハンドルロック機構と、所定のコインの投入があったときに前記ハンドルロック機構によるロックを解除させる第１のハンドルロック解除機構とを備え、前記操作ハンドルが排出操作されたとき商品を排出する商品排出機であって、所定のコインの投入に拘わらず所定の人為的入力によって駆動されて前記ハンドルロック機構によるロックを解除させる第２のハンドルロック解除機構を備えることを特徴とする商品排出機。
【請求項２】
前記操作ハンドルは排出操作に至らない程度の初動が可能となるように前記ハンドルロック機構によってロックされ、前記第１のハンドルロック解除機構は、前記操作ハンドルの初動によって駆動され、投入された所定のコインの中の少なくとも１つに摺接することによってロックを解除させるように構成されていることを特徴とする請求項１に記載の商品排出機。
【請求項３】
前記ハンドルロック機構は、前記操作ハンドルと連係されている動作部材を含み、商品排出機の本体内の固定部又は前記動作部材の一方にはロックピンが付設され、他方にはロックピン孔が形成され、前記ロックピンは前記ロックピン孔のストッパ面に当接可能な方向に付勢され、前記ロックピンが前記ロックピン孔のストッパ面に当接することによって前記操作ハンドルがロックされるように構成されていることを特徴とする請求項１又は２に記載の商品排出機。
【請求項４】
人為的入力を行うための操作部を備え、前記操作部から前記第２のハンドルロック解除手段を駆動させるための動力を入力するように構成されていることを特徴とする請求項１から３いずれか一に記載の商品排出機。
【請求項５】
人為的入力を行うための操作部と、前記操作部から人為的入力があったときに作動して前記第２のハンドルロック解除手段を駆動させる駆動装置とを備えることを特徴とする請求項１から３いずれか一に記載の商品排出機。
【請求項６】
人為的入力としてコイン以外の決済手段を使用しての商品購入申込み入力が可能となっていることを特徴とする請求項５に記載の商品排出機。
【発明の詳細な説明】
【技術分野】
【０００１】
本発明は、商品排出機に関するものである。
【背景技術】
【０００２】
商品排出機としては、所定のコイン（例えば、１００円）をコイン投入口に投入し、操作ハンドルを回転操作（排出操作）させることによって商品排出口にカプセル商品を排出させる商品排出機がある。（例えば、特許文献１）。
【特許文献１】特開２０００−７６５１１号公報（図１参照）
【発明の開示】
【発明が解決しようとする課題】
【０００３】
ところで、従来の商品排出機は、例えばコインが詰まったなどの故障によって商品が排出されない場合、購入者からの通報によって、商品排出機の本体の蓋を開け、商品排出機の本体に収容されている商品の中で購入者が欲する商品を手渡すか、または、その故障を直してから、返却したコインを再び投入し、操作ハンドルを操作して商品を排出させる方法が採られていた。
しかしながら、前者の方法では、他の購入者との公平性が保てないし、後者の方法では、購入者は修理終了までの時間待たなければならないという問題があった。
また、イベントなどの場合、無料で操作ハンドルを操作させて排出された商品を無料で配布することも行われる場合もあるが、この場合、従来の商品排出機では、主催者側が商品を排出させようとする毎に、コインを投入しなければならず面倒であった。
【０００４】
本発明は、かかる問題点を解決するためになされたもので、コインの投入の有無に拘わらず所定の人為的入力によって商品を排出させることができる商品排出機を提供することを目的としている。
【課題を解決するための手段】
【０００５】
請求項１に記載の商品排出機は、操作ハンドル（例えば図１の操作ハンドル６）の排出操作をロックするハンドルロック機構（例えば図１１のロック用スライド片６０、遊動片８８，８９、スライド片作動レバー６２等）と、所定のコインの投入があったときに前記ハンドルロック機構によるロックを解除させる第１のハンドルロック解除機構（例えば図１１の遊動片８８，８９、カム９２，９３等）とを備え、前記操作ハンドルが排出操作されたとき商品を排出する商品排出機（例えば図１の商品排出機１）であって、所定のコインの投入に拘わらず人為的入力によって駆動されて前記ハンドルロック機構によるロックを解除させる第２のハンドルロック解除機構（例えば図１１の押し込み片１３１、ロック解除片１２０）を備えることを特徴とする。
ここで、上記「所定の人為的入力」は、商品排出機の外側から行える場合には、特定の人だけが入力可能となるようにしておくことが好ましい。例えば、所定の入力キーを所有している人だけが、その入力キーを使用して入力したり、所定のＩＣタグを使用して入力するなどである。
【０００６】
請求項２に記載の商品排出機は、請求項１に記載の商品排出機において、前記操作ハンドルは排出操作に至らない程度の初動が可能となるように前記ハンドルロック機構によってロックされ、前記第１のハンドルロック解除機構は、前記操作ハンドルの初動によって駆動され、投入された所定のコインの中の少なくとも１つに摺接することによってロックを解除させるように構成されていることを特徴とする。
【０００７】
請求項３に記載の商品排出機は、請求項１又は２に記載の商品排出機において、前記ハンドルロック機構は、前記操作ハンドルと連係されている動作部材（例えば図１１のロック用スライド片６０、スライド片作動レバー６２等）を含み、商品排出機の本体内の固定部又は前記動作部材の一方にはロックピン（図１１のロックピン７８，７９）が付設され、他方にはロックピン孔（図１１のロックピン孔６６，６７）が形成され、前記ロックピンは前記ロックピン孔のストッパ面（図１１のストッパ面６６ａ，６７ａ）に当接可能な方向に付勢され、前記ロックピンが前記ロックピン孔のストッパ面に当接することによって前記操作ハンドルがロックされるように構成されていることを特徴とする。
【０００８】
請求項４に記載の商品排出機は、請求項１から３いずれか一に記載の商品排出機において、人為的入力を行うための操作部を備え、前記操作部から前記第２のハンドルロック解除手段を駆動させるための動力を入力するように構成されていることを特徴とする。
【０００９】
請求項５に記載の商品排出機は、請求項１から３いずれか一に記載の商品排出機において、人為的入力を行うための操作部と、前記操作部から人為的入力があったときに作動して前記第２のハンドルロック解除手段を駆動させる駆動装置（例えば図１１のコントローラ１３６，アクチュエータ１３５）とを備えることを特徴とする。
【００１０】
請求項６に記載の商品排出機は、請求項５に記載の商品排出機において、人為的入力としてコイン以外の決済手段（例えば図１１のカードＳ）を使用しての商品購入申込み入力が可能となっていることを特徴とする。
ここで、コイン以外の決算手段としては、例えば、プリペイドカード、クレジットカード、ポイントカード、お財布携帯等が挙げられる。
【発明の効果】
【００１１】
本発明によれば、例えばコインが詰まったなどの故障によって第１のロック解除手段が駆動されない場合でも、第２のロック解除手段を人為的に駆動させて商品を排出させることができる。
また、第２のロック解除手段をコイン以外の決済手段を使用して駆動させることもできるので、頗る便利なものとなる。
【発明を実施するための最良の形態】
【００１２】
図１は、本発明に係る商品排出機の外観を概念的に示した斜視図である。
なお、方向を示す上下、前後、左右とは、特に断らない限り、ハンドル操作機構ユニットを商品排出機に組み付けた状態での位置関係をいう。
【００１３】
商品排出機１の本体には、図１に示すように、その前面に、商品排出口２、コイン投入口３、コイン返却口４、カード挿入口５及び操作ハンドル６が設けられている。そして、商品排出機１は、原則的に、コイン投入口３から所定のコインが投入された状態で、操作ハンドルの排出操作がなされると、商品を商品排出口２から排出するように構成されている。
なお、図示はしないが、商品排出機１の本体にはコイン返却レバーが設けられている。
以下、この商品排出機１の詳細を説明する。
【００１４】
この商品排出機１は、商品（例えばカード玩具）を排出するための所定のコインとして複数種のコインを設定できるように構成されている。例えば、この商品排出機１は、商品を排出するための所定のコインとして１００円硬貨（以下「コインＷ」という。）と１０円硬貨（以下、「コインＸ」という。）とを設定できるように構成されている。そして、この商品排出機１は、原則的に、コインＷ及びコインＸがそれぞれ必要枚数投入された状態で操作ハンドル６の排出操作がなされることによって、商品の排出を行なうように構成されている。
【００１５】
図２は、図１に示した商品排出機１の本体に設置されるハンドル操作機構ユニットを概念的に示した斜視図、図３は、図２に示したハンドル操作ユニットの一部を切り欠いて示した正面図である。
ハンドル操作機構ユニット７は、商品排出機１の本体の上下にそれぞれ２つずつ設置されている。各ハンドル操作機構ユニット７は、図２及び図３に示すように、各種コインの中から所定のコイン（実施形態ではコインＷ，Ｘ）を選び出すためのコイン選別部Ａと、その選び出されたコインを各別に収容するためのコイン収容部Ｂとを備えている。また、ハンドル操作機構ユニット７は、同図に示すように、投入されたコインをコイン格納部（金庫）又はコイン返却口４に選択的に導くためのコイン進路変更部Ｃと、操作ハンドル６の排出操作をロックする第１のハンドルロック部Ｄと、コイン収容部Ｂに設定枚数のコインが収容されたときその操作ハンドル６のロックを解除させる第１のハンドルロック解除部Ｅと、ハンドル６の回転を１回転毎にロック可能な第２のハンドルロック部Ｆと、コインによらずカード等の決済手段によってロックを解除する第２のハンドルロック解除部Ｇと、コインを投入した後に、商品の購入を取り消す場合に、投入したコインを払い戻すリセット部Ｈとを備えている。
【００１６】
コイン選別部Ａは第１のコイン選別部Ａ１を含んで構成されている。この第１のコイン選別部Ａ１はコイン投入口３によって構成されている。すなわち、コイン投入口３の縦寸法は、コインＸよりもコインサイズが大きいコインの投入を阻止できる程度とされている。以上の構成によって、コインＸのコインサイズを超えるコインと、コインＸのコインサイズ以下のコインとが選別される。
【００１７】
コイン選別部Ａは第２のコイン選別部Ａ２を含んで構成されている。この第２のコイン選別部Ａ２はコイン通路１１によって構成されている。すなわち、コイン通路１１は、コイン投入口３の直後に配置されるコイン導入口１０を備えている。コイン通路１１の床は、コイン導入口１０から後方に向かって下方に向けて傾斜して延在する構成となっている。そして、コイン導入口１０から導入されたコインは、図５に示すように、傾斜した側壁１１ａに寄り添った状態でコイン通路１１の床を転がり落ちるように構成されている。側壁１１ａには、図４及び図５に示すように、コイン導入口１０寄りに第１の孔１２が形成され、末端に第２の孔１３が形成されている。第１の孔１２は第２の孔１３よりも小さく形成されている。そして、第１の孔１２は、コインＷの直径寸法以下のコインをコイン通路１１から脱落させるためのもので、第２の孔１３は、それ以外のコインをコイン通路１１から脱落させるためのものである。以上の構成によって、コインＷのコインサイズ以下のコインと、それ以外のコインサイズのコインとが選別される。
【００１８】
コイン選別部Ａは第３のコイン選別部であるコイン選別部Ａ３−１，Ａ３−２（両者を総称する場合には符号「Ａ−３」を使用する。）を含んで構成されている。コイン選別部Ａ３−１は、コインＷのコインサイズ以下のコインの中からコインＷを選別するためのものである。一方、コイン選別部Ａ３−２は、コインＷのコインサイズを超えるコインの中からコインＸを選別するためのものである。コイン選別部Ａ３−１，Ａ３−２は各部の構成要素の大きさはその目的に応じて異なっているが、その構成要素は共通している。そこで、以下の説明では、第３のコイン選別部Ａ３−１，Ａ３−２を一括して説明し、その中で必要に応じてその相違点を説明することとする。
【００１９】
コイン選別部Ａ３−１，Ａ３−２は、図６に示すように、ケース１４と、ケース１４に組み込まれた機構とによって構成されている。ケース１４は、ケース本体１４ａと、ケース本体１４ａに軸１４ｃによって当該ケース本体１４ａに対して開閉自在に支持されたプレート１４ｂとによって構成されている。プレート１４ｂは、軸１４ｃに巻回されたねじりコイルばね１５によって、閉成方向（ケース本体１４ａに接近する方向）に付勢されている。
ケース本体１４ａの裏面には、軸１６ｃを中心に回転するレバー１６ｂが設けられている。レバー１６ｂの自由端には突起１６ａが設けられている。一方、ケース本体１４ａには軸１６ｃを中心とする弧状のスリット（図示せず）が形成されている。そして、ケース本体１４ａのスリットからは突起１６ａがケース１４の内部に臨んでいる。レバー１６ｂは図示しないばねによって上方へ向けて付勢されている。そして、レバー１６ｂが押し下げられ軸１６ｃを中心に下方に回転した際に突起１６ａも下方に動作し、これによって、突起１６ａがプレート１４ｂの内面を倣う。プレート１４ｂ内面には突起１６ａが倣った際に、該プレート１４ｂをケース本体１４ａから離間させるような形状のカム（図示せず）が形成されている。
また、ケース本体１４ａには、図７に示すように、コイン通路１１から落下してくるコインを通過させるコイン通路９ａが形成されている。
一方、プレート１４ｂには、半月状の振り子１７ａが、軸１８ａを中心に回転可能に取り付けられている。振り子１７ａには、コイン通路９ａの下端に、受容する正規コイン（商品購入に必要な正規コイン）のコインサイズよりも僅かに小さな間隔をもって突起１９，１９が、コイン通路９ａに臨んで配設されている。
【００２０】
以上のように構成されたコイン選別部Ａ３−１，Ａ３−２は次のように動作する。
すなわち、図７に示すように、振り子１７ａへ導かれた正規コインのコインサイズよりも小さなコインは、振り子１７ａの突起１９，１９間をそのまま通過する。一方、振り子１７ａに導かれた正規コインは、同図に示すように、振り子１７ａの突起１９，１９によって捕捉される。すると、振り子１７ａは、正規コインの重量によって揺動し、正規コインとそれ以外のコインとの分離が可能となる。
これによって、コイン選別部Ａ３−１では、正規コインＷとそれ以外のコインＹとが選別され、正規コインＷがコイン通路９ｃに導かれ、それ以外のコインＹがコイン通路９ｄに導かれる。一方、コイン選別部Ａ３−２では、コインＷとそれ以外のコインＺとが選別され、正規コインＸがコイン通路９ｅに導かれ、それ以外のコインＺがコイン通路９ｆに導かれる。
【００２１】
コイン通路９ｃ及び９ｅにはコイン収容部Ｂ−１，Ｂ−２（両者を総称する場合には符号「Ｂ」を使用する。）が設置されている。コイン収容部Ｂ−１は正規コインＷを収容するためのものである。一方、コイン収容部Ｂ−２は正規コインＸを収容するためのものである。
【００２２】
コイン収容部Ｂ−１には、図３に示すように、上下方向に延びるコイン通路９ｃに沿って２本のガイドロッド２０ａ，２０ｂが延設されている。このうちガイドロッド２０ｂは断面が角形を成している。ガイドロッド２０ａ，２０ｂにはスライドブロック２１が上下方向に摺動自在に配設されている。このスライドブロック２１には、図８に示すように、コイン通路９ｃを塞ぐコインストッパ２１ａが付設されている。このコインストッパ２１ａは、ガイドロッド２０ｂにその基端部が取り付けられている。そして、コインストッパ２１ｂは、ガイドロッド２０ｂの回転によって当該ガイドロッド２０ｂの中心軸を中心に回転するように構成されている。
なお、コインストッパ２１ａのうち舌片状のストッパ部は、常態において、コイン通路９ｃ内に突出するように構成されている。また、スライドブロック２１の上面には、設定枚数を０（ゼロ）枚とした際のロック解除片２１ｂが立設されている。さらに、スライドブロック２１の表面には、スライドブロック２１に対して摘み２１ｃがスライドブロック２１の左右方向に移動自在に配設されている。
【００２３】
コイン収容部Ｂ−２には、図３に示すように、上下方向に延びるコイン通路９ｃに沿って２本のガイドロッド２２ａ，２２ｂが延設されている。このうちガイドロッド２２ｂは断面が角形を成している。ガイドロッド２２ａ，２２ｂにはスライドブロック２３が上下方向に摺動自在に配設されている。このスライドブロック２３には、図８に示すように、コイン通路９ｅを塞ぐコインストッパ２３ａが付設されている。このコインストッパ２３ａは、ガイドロッド２２ｂにその基端部が取り付けられている。そして、コインストッパ２３ｂは、ガイドロッド２２ｂの回転によって当該ガイドロッド２２ｂの中心軸を中心に回転するように構成されている。
なお、コインストッパ２３ａのうち舌片状のストッパ部は、常態において、コイン通路９ｅ内に突出するように構成されている。また、スライドブロック２３の上面には、設定枚数を０（ゼロ）枚とした際のロック解除片２３ｂが立設されている。さらに、スライドブロック２３の表面には、スライドブロック２３に対して摘み２３ｃがスライドブロック２３の左右方向に移動自在に配設されている。
【００２４】
上記コイン収容部Ｂ−１，Ｂ−２を区画形成するカバー２４，２５がハンドル操作機構ユニット７に付設されている。このカバー２４，２５は、図２に示すように、ガイドロッド２０ａ，２０ｂ及びガイドロッド２２ａ，２２ｂをそれぞれ被覆している。このカバー２４，２５には、その中央部に上下方向に沿って延びるスリット２４ａ，２５ａが形成されている。スリット２４ａ，２５ａの両側には、枚数設定用切欠き２４ｂ，２５ｂが上下方向に沿って所定の間隔で形成されている。スリット２４ａ，２５ａの両側に形成した枚数設定切欠き２４ｂ，２５ｂは互いに間隔が異なっている。このように構成したのは、コイン収容部Ｂに収容されるコイン種を変更するためである。すなわち、あるコイン種の場合には片側の枚数設定用切欠きを使用し、他のコイン種の場合には他側の枚数設定用切欠きを使用するためである。なお、コイン種を変更する場合には、コイン選別部Ａ３も当該コイン種に対応したものと交換する必要がある。
なお、コイン収容部Ｂ−１，Ｂ−２において設定枚数に達した最上に位置するコインＷ，Ｘの上端は、後述するロック部のロック用スライド片の移動域に臨んで位置される。
【００２５】
カバー２４，２５内に設置したスライドブロック２１，２３の摘み２１ｃ，２３ｃはスリット２４ａ，２５ａを通じてカバー２４，２５から表面側に突出する。そして、この摘み２１ｃ，２３ｃをスライドブロック２１，２３に対して左右に動作させることで、枚数設定用切欠き２４ｂ，２５ｂの１つに係止させれば、コイン収容部Ｂ−１，Ｂ−２に収容可能な枚数が設定される。この場合、最上の枚数設定用切欠き２４ｂ，２５ｂに摘み２１ｃ，２３ｃを係止させれば、設定枚数は０（ゼロ）枚となる。
【００２６】
カバー２４，２５によって被覆されるガイドロッド２０ｂ，２２ｂは、図３に示すように、ガイドロッド回動手段２６に連結されている。ガイドロッド回動手段２６は、コイン収容部Ｂ−１，Ｂ−２の上方に配置されたリンク２７，２８を備えている。リンク２７，２８には、長孔２７ａ，２８ａがそれぞれ形成されている。一方、ボード８にはピン２９，３０が立設されている。そして、リンク２７，２８は、その長孔２７ａ，２８ａをピン２９，３０に嵌合させ、ピン２９，３０に図示しないネジを締結することによって、ボード８にスライド自在に保持されている。このリンク２７，２８はガイドロッド２０ｂ、２２ｂに連結されている。具体的には、リンク２７，２８とガイドロッド２０ｂ、２２ｂとは、リンク２７，２８の直線運動をガイドロッド２０ｂ、２２ｂの回動運動に変換できるように連結されている。例えば、ガイドロッド２０ｂ，２２ｂには突起（図示せず）が付設され、この突起が、リンク２７，２８に設けられた凹部に入り込んでおり、リンク２７，２８の動作方向に応じてガイドロッド２０ｂ，２２ｂが所定の方向に回転するようになっている。
リンク２７とリンク２８との間には、コインストッパ解放レバー３１が軸３１ａを中心に回動自在に設けられている。コインストッパ解放レバー３１は、リンク３２によってリンク２８に連結されている。また、リンク２７は、リンク２７とボード８間に装架したばね３３によって後方に向けて付勢されている。そして、リンク２７は、コインストッパ解放レバー３１の一端に当接され、コインストッパ解放レバー３１は図３において反時計方向に付勢されている。これによって、リンク２８もリンク３２を介して後方に付勢されている。なお、レバー３１の他端は後述するロック用スライド片６０の移動域に臨んでいる。
【００２７】
そして、このコイン収容部Ｂでは、後述するロック用スライド片６０の動作によってカム片７２に倣ってコインストッパ解放レバー３１が回動されると、該レバーの一端によってリンク２７がばね３３の付勢力に抗して移動し、また同時に、リンク３２を介してリンク２８も前方へ移動する。したがって、各コイン収容部Ｂ−１，Ｂ−２のガイドロッド２０ｂ、２２ｂが回動され、それに伴って、コインストッパ２１ａ，２３ａがスライドブロック２１，２３内に没入する。これによって、コインストッパ２１ａ，２３ａに留められていたコインＷ，Ｘは、下方へ落下する。
【００２８】
コイン進路変更部Ｃは、図３に示すように、ケース４０内に、コイン通路９ｃ，９ｄ，９ｅ，９ｆの下端に位置している。このコイン進路変更部Ｃはコイン返却通路４１を備えている。コイン返却通路４１は、前方に向かって下方に傾斜し、コイン返却口４まで延設している。
また、コイン返却通路４１を画成する側壁４０ａには、図１０に示すように、コインＷ，Ｘのコイン通路９ｃ，９ｅに対応する位置に第１の孔４２及び第２の孔４３が形成されている。それらのコイン収容孔４２，４３には、フラップ４５，４６が軸４７によって開閉自在に配設されている。この軸４７とケース４０との間には、ばね４８が掛け渡されており、フラップ４５，４６は開成する方向（第１の孔４２及び第２の孔４３を開く方向）に付勢されている。フラップ４５，４６が開成されている状態では、上方から落下してくる正規コインＷ，Ｘはフラップ４５，４６によって第１の孔４２及び第２の孔４３に飲み込まれコイン返却通路４１に導かれる。
軸４７の端部には、図３に示すように、フラップ作動レバー４９の基端が固設され、該レバーの先端は、ボード８に配設した押下片５０の下方に位置している。このフラップ作動レバー４９は、押下片５０が下降した際に所定の軸を中心に回転して、フラップ４５,４６を閉じる。そして、フラップ４５，４６が閉じられると、上方から落下してくる正規コインＷ，Ｘはそのまま落下して金庫４４に送られる。
【００２９】
押下片５０は、ボード８の上下方向に延設されている。この押下片５０は上下に摺動自在に設置されている。一方、ボード８の押下片５０の上部近くには、図３に示すように、コイン進路変更レバー５１が軸５１ａによって軸支されている。このコイン進路変更レバー５１とボード８にはばね５２が掛け渡されていて、コイン進路変更レバー５１は反時計方向に付勢されている。そして、コイン進路変更レバー５１には図示しないピンが付設され、このピンは押下片５０の長孔（図示せず）に入り込んでいる。そして、コイン進路変更レバー５１は押下片５０をばね５２の付勢力によって上方へ押し上げている。また、コイン進路変更レバー５１の上端はばね５２の付勢力によって、ロック用スライド片６０の下縁に当接されている。そして、ロック用スライド片６０が後方に移動した際にカム片７３に倣ってコイン進路変更レバー５１が軸５１ａを中心に時計方向に回転し、押下片５０を下降させる。また、コイン進路変更レバー５１は、後述のロック用スライド片６０が前方へ動作した際に、ばね５２の付勢力によって、押下片５０を上昇させる。
【００３０】
第１のハンドルロック部Ｄは、図２に示すように、上記コイン収容部Ｂのコイン通路９ｃ，９ｄ，９ｅ，９ｆに対して直角方向に移動するロック用スライド片６０（図１１参照）を備えている。ロック用スライド片６０は、図１２に示すように、ボード８に設けられたガイドボス９４，９５をガイド孔７４，７５に嵌合させ、ガイドボス９４，９５に図示しないネジを締結することによってボード８に取り付けられている。
【００３１】
このロック用スライド片６０には、図１１に示すように、Ｌ字状を成すロックピン孔６６，６７及び、Ｌ字状を成すガイド孔６８，６９が形成されている。また、このロック用スライド片６０には、ガイドボス７０，７１が立設されている。また、このロック用スライド片６０の下側にはカム片７２，７３がそれぞれ形成されている。さらに、ロック用スライド片６０には直線状のガイド孔７４，７５が形成されている。
一方、図１１に示すように、ボード８には、ロック用スライド片６０の移動域に、ロックレバー７６，７７の一端が軸７６ａ，７７ａによってそれぞれ軸支されている。そして、これらのロックレバー７６，７７の他端には、ロック用スライド片６０の排出動作（ねじりコイルばね６４の付勢力に抗する方向への動作）をロックするロックピン７８，７９がそれぞれ設けられている。これらのロックピン７８，７９はばね８０，８１によって時計方向に付勢されている。
そして、このハンドルロック部Ｄでは、ロック用スライド片６０は、ガイド孔７４，７５とガイドボス９４，９５とによってガイドされて後方へ移動される。そして、ロック用スライド片６０が後方へ初動したとき、該ロック用スライド片は、そのロックピン孔６６，６７のストッパ面６６ａ，６７ａがロックピン７８，７９に当接することによって、ロック用スライド片がその場所にロックされる。
【００３２】
また、ロック用スライド片６０は、上記コイン通路９ｃ，９ｄ，９ｅ，９ｆへのコインＷ，Ｘ，Ｙ，Ｚの落下を妨げないようにして配設されている。
【００３３】
また、第１のハンドルロック部Ｄはスライド片作動レバー６２を備える。すなわち、ロック用スライド片６０の後端部には、縦方向に延びる長孔６１が形成されている。一方、ボード８には、軸６２ａによってスライド片作動レバー６２の中間部が軸支されている。このスライド片作動レバー６２の一端（上端）にはピン６３が設けられている。このスライド片作動レバー６２は、ねじりコイルばね６４によって図３における反時計方向に付勢され、ボード８に植設されたピン６５によって位置決めされている（図１４参照）。そして、上記ピン６３は、ロック用スライド片６０の長孔６１に挿嵌されている。したがって、ロック用スライド片６０が前後に動作した際に、その動作方向に応じて、スライド片作動レバー６２も時計方向又は反時計方向に回動する。なお、上記ねじりコイルばね６４に代えて、ロック用スライド片６０とボード８との間にばねを掛け渡すようにしてもよい。
【００３４】
また、第１のハンドルロック部Ｄは、操作ハンドル６の操作に連動するレバー作動円盤１００を備えている。このレバー作動円盤１００は、軸１００ａによってボード８に回転自在に設置されている。このレバー作動円盤１００の軸１００ａは、図１３に示すように、かさ歯車を含む歯車列１０１によって操作ハンドル６に連結されている。そして、このレバー作動円盤１００は、図２に示すように、スライド片作動レバー６２に係合し、操作ハンドル６の運動をスライド片作動レバー６２の揺動運動に変換させる働きを有する。
【００３５】
レバー作動円盤１００は、図１４に示すように、周面に開口する切欠き１０２を備えている。そして、図１５に示すように、この切欠き１０２に、スライド片作動レバー６２の下端が挿嵌されている。また、レバー作動円盤１００には、該レバー作動円盤と同芯にラチェット歯車１０３が付設されている。そして、このラチェット歯車１０３の歯１０３ａには、軸１０４ａによってボード８に揺動可能に支持されたラチェット爪１０４が噛合されている。このラチェット爪１０４は、レバー作動円盤１００の回転方向を図１４において矢視した方向だけに限定する働きをする。
【００３６】
レバー作動円盤１００は、操作ハンドル６の操作によって、図１４において矢視した方向に回転しようとする。そして、図１５に示すように、切欠き１０２の端縁１０２ａによってスライド片作動レバー６２の下端が押圧されて当該スライド片作動レバー６２を一方向に回転させようとする。この場合、ロック用スライド片６０の動作がロックされていると、当該スライド片作動レバー６２もロックされ、操作ハンドル６のそれ以上の操作はできない。一方、ロック用スライド片６０のロックが解除されている状態では、スライド片作動レバー６２が回転し、当初は、ピン６３，長孔６１を介してロック用スライド片６０が後方へ動作する。
また、レバー作動円盤１００の更なる回転によって、図１６に示すように、スライド片作動レバー６２の下端が切欠き１０２から外れると、その後は、スライド片作動レバー６２は、ねじりコイルばね６４の付勢力に抗してレバー作動円盤１００の周面に摺接し、その位置に維持される。この状態では、ロック用スライド片６０は、後方に位置した状態に維持される。
そして、レバー作動円盤１００の更なる回転によって、レバー作動円盤１００の切欠き１０２が、図１５に示す初期位置に達し、スライド片作動レバー６２の下端は、ねじりコイルばね６４の付勢力によって、切欠き１０２内に落ち込む。つまり、ねじりコイルばね６４はロック状態復帰手段を構成する。そして、スライド片作動レバー６２が切欠き１０２に落ち込むのに伴って、ロック用スライド片６０が初期位置に復帰する。
【００３７】
第１のハンドルロック解除部Ｅはガイドレバー８２，８３を備える。このガイドレバー８２，８３は、ボード８におけるロック用スライド片６０の移動域に、その一端が軸８２ａ，８３ａによって揺動自在に軸支されている。これらのガイドレバー８２，８３の中間部にはガイドピン８４，８５が設けられている。このガイドピン８４，８５の先端には長孔８６，８７が形成されている。そして、この長孔８６，８７には、遊動片８８，８９の一端に立設させたピン８８ａ，８９ａが挿嵌されている。遊動片８８，８９の他端部にはカム９０，９１が配設されている。また、遊動片８８，８９の他端にはボード８に向けて左方に延びるカム９２，９３が配設されている。
このうちカム９０，９１は、０（ゼロ）枚設定した状態で、ロック用スライド片６０が後方へ向けて初動したとき、ロック解除片２１ｂ，２３ｂの上端に倣って動作し、遊動片８８，８９を通じて、ロックピン７８，７９を押し上げる働きをする。また、カム９２，９３は、図９に示すように、コイン収容部Ｂに設定枚数収容されたコインの中で最上部のコインＷ、Ｘの上端よりも少し下の位置にあって、ロック用スライド片６０が後方へ向けて初動した際に、その最上部のコインＷ、Ｘの外周に倣って動作する。これによって、遊動片８８，８９が上方へ動作することによって、ロックレバー７６，７７が軸７６ａ，７７ａを中心に回転してロックピン７８，７９がストッパ面６６ａ，６７ａから外れる。これによって、ロック用スライド片６０の動作ロック解除される。
なお、このガイドレバー８２，８３のガイドピン８４，８５はロック用スライド片６０のガイド孔６８，６９に差し込まれる。
【００３８】
また、実施形態の商品排出機１は第２のハンドルロック部Ｆを備える。
上記商品排出機１では、何らかの原因で、ロック用スライド片６０が後方に移動した状態で、動かなくなってしまった場合には、スライド片作動レバー６２が傾動された状態で停止することになる。この状態では、レバー作動円盤１００が制止されないので、操作ハンドル６の排出操作が自由に行える状態となる。つまり、コインを投入することなく、操作ハンドル６の排出操作によって商品が排出されてしまうことになる。
そこで、このような不都合を回避するために、レバー作動円盤１００が１回転する毎に、操作ハンドル６をロックすることが可能な第２のハンドルロック部Ｆを設けた。
以下、この第２のハンドルロック部Ｆの詳細を説明する。
【００３９】
図１７（Ａ）に示すように、ボード８におけるレバー作動円盤１００と押下片５０との間には、軸１１０ａによって回転制限レバー１１０が揺動自在に配設されている。この回転制限レバー１１０の下部には、係合片１１３が軸１１３ａによって揺動自在に支持されている。この係合片１１３は、回転制限レバー１１０に形成されたストッパ１１４によって下方への揺動が規制されるとともに、係合片１１３と回転制限レバー１１０との間にかけ渡されたばね１１５によってストッパ１１４へ向けて付勢されている。この係合片１１３は、常態では、その先端が押下片５０のカム１１２の移動域に位置している。
また、回転制限レバー１１０とボード８との間にはばね１１６が掛け渡され、該ばねの付勢力によって、回転制限レバー１１０の上端がレバー作動円盤１００の周面に当接されている。そして、この回転制限レバー１１０の上端は、レバー作動円盤１００が回転した際、レバー作動円盤１００の周面に形成された突起１１１に当接可能となっている。
以上のように構成されたハンドルロック部Ｆは、次のように動作する。
【００４０】
すなわち、正規のコインＷ，Ｘをコイン投入口３に所定枚数投入し、操作ハンドル６を操作すると、ロック用スライド片６０が後方へ動作する。すると、カム片７３に倣ってコイン進路変更レバー５１が軸５１ａを中心に時計方向に回転し、押下片５０の係止が解除され、押下片５０が下降する。押下片５０が下降すると、カム１１２によって係合片１１３が押圧され。回転制限レバー１１０は、ばね１１６の付勢力に抗して図１７（Ｂ）に示すように、反時計方向に回動する。このように回転制限レバー１１０が回動すると、回転制限レバー１１０の上端がレバー作動円盤１００の突起１１１の移動域外に移動する。
同時に、操作ハンドル６の操作に伴ってレバー作動円盤１００が回転するが、該作動円盤の突起１１１は回転制限レバー１１０の上端に突き当たることなく回転する。
なお、押下片５０のカム１１２は、図１７（Ｃ）に示すように、レバー作動円盤１００の突起１１１が回転制限レバー１１０の上端を通過するタイミングで、係合片１１３を通過する。その後、回転制限レバー１１０の先端は、再びレバー作動円盤１００の周面に当接する。
【００４１】
また、操作ハンドル６の操作によって、ロック用スライド片６０が、最も後方まで動作すると、その後は、レバー作動円盤１００が初期位置から１回転するまで、その位置に維持される。そして、レバー作動円盤１００の回転が１回転近くになると、スライド片作動レバー６２の下端は、ねじりコイルばね６４の付勢力によって、切欠き１０２内に落ち込み、ロック用スライド片６０が初期位置に復帰する。これに伴って、押下片５０が上昇する。その際、図１７（Ｄ）に示すように、カム１１２が係合片１１３に突き当たるが、係合片１１３は、ばね１１５の付勢力に抗して時計方向に回転するので、押下片５０の上昇が妨げられることはない。
【００４２】
この場合、何らかのトラブルが生じ、ロック用スライド片６０が後方位置でロックされた場合、ロック用スライド片６０を復帰させるスライド片作動レバー６２が復帰されないため、スライド片作動レバー６２の下端はレバー作動円盤１００の切欠き１０２に落ち込まない。したがって、レバー作動円盤１００は、初期位置に制止されることはなく、操作ハンドル６は、ロックされない。
この状態で、操作ハンドル６を操作した場合には、図１７（Ｅ）に示すように、レバー作動円盤１００の突起１１１が回転制限レバー１１０の上端に突き当たり、レバー作動円盤１００のそれ以上の回転が阻止される。つまりは、操作ハンドル６の操作がロックされる。
【００４３】
なお、操作ハンドル６の軸６ａには、図１３に示すように、円筒カム１０５が介在されている。この円筒カム１０５は、図示しない商品排出機構に連係され、該カム１回転ごとに、円筒カム１０５によって動作する商品排出手段が１つの商品を商品排出口２に排出させるように構成されている。
【００４４】
第２のハンドルロック解除部Ｇは、図１１に示すように、ロック解除片１２０を備えている。ロック解除片１２０にはガイド孔１２１，１２２が形成されている。また、ロック解除片１２０の上縁には、切欠き１２３，１２４が形成されている。切欠き１２３，１２４にはカム１２５，１２６が形成されている。また、このロック解除片１２０には係合条片１２７が突設されている。また、このロック解除部Ｇは、前端に係合爪１２８ａを有する係合レバー１２８を備えている。
【００４５】
このうちロック解除片１２０は、図１８に示すように、そのガイド孔１２１，１２２をロック用スライド片６０のガイドボス７０，７１に嵌合させ、ガイドボス７０に図示しないネジを締結するとともに、ガイドボス７１に係合レバー１２８を介して図示しないネジを締結することによって、ロック用スライド片６０に取り付けられる。また、係合レバー１２８とロック解除片１２０との間には、ばね１２９が掛け渡されている。
【００４６】
このようにしてロック用スライド片６０に取り付けられたロック解除片１２０は、ガイド孔１２１，１２２とガイドボス７０，７１とによってロック用スライド片６０に対して前後に動作可能に支持される。また、ロック解除片１２０は、ばね１２９の付勢力によって、ロック用スライド片６０に対して前方に付勢された状態とされている。
【００４７】
また、第２のハンドルロック解除部Ｇは、図１１に示すように、押込片１３１を備えている。この押込片１３１には長孔１３２が形成されている。そして、押込片１３１は、ボード８に突設されたガイドボス１３０に長孔１３２を嵌合させ、ガイドボス１３０に図示しないネジを締結することによって、ボード８に取付けられている。また、押込片１３１とボード８とには、ばね１３３が掛け渡されている。そして、この状態における押込片１３１は、その後端がロック排除片１２０の前端に対向して配置されている。
【００４８】
この第２のハンドルロック解除部Ｇにおいては、ロック解除片１２０が後方に押し込まれると、ロック解除片１２０はロック用スライド片６０に無関係に後方に動作する。そして、このロック解除片１２０の後方への動作によって、カム１２５，１２６は、ロック用スライド片６０のストッパ面６６ａ，６７ａよりも後方まで移動する。そして遂には、図１９に示すように、係合レバー１２８の爪１２８ａが、係合条片１２７の前端に達し、該係合条片の前端に係合して、ロック解除片１２０がロック用スライド片６０に一体化され、その状態が維持される。この状態で、操作ハンドル６が初動すると、カム１２５，１２６がロックレバー７６，７７のロックピン７８，７９に当接し、それらのピンを押し上げるので、操作ハンドル６のロックが解除される。
なお、押込片１３１はロック解除片１２０と一体的に構成されていてもよい。両者を一体的に構成すれば、部品点数を減らすことができる。
【００４９】
さらに、この第２のハンドルロック解除部Ｇは、ロック解除片１２０を作動させるための駆動装置１３４を備えている。この駆動装置１３４は、図１１に示すように、押込片１３１を押し込むアクチュエータ１３５，該アクチュエータを駆動させるコントローラ１３６，カード読取器１３７等によって構成されている。
そして、この駆動装置１３４では、カード読取器１３７によって、プリペイドカード、クレジットカード又はポイントカード等のカードＳの情報が読み取られ、その情報がコントローラ１３６に送られる。そして、コントローラ１３６において、カードＳの情報が商品購入の申し込みか否かが判断される。そして、カードＳの情報が商品購入の申し込みであると判断した場合には、アクチュエータ１３５が作動され、押込片１３１を作動させる。
なお、ここでは、アクチュエータ１３５を設けたが、アクチュエータ１３５に代えてモータ動力によって歯車機構その他の機構によって押込片１３１を押し込むようにしてもよい。この場合に必要ならば復帰ばねを設けてもよい。また、プリペイドカード、クレジットカード又はポイントカード等のカードに代えて、お財布携帯等の情報を読み込むように構成してもよい。
【００５０】
リセット部Ｈでは、図３に示すように、リセットボタン１４０が軸１４０ａによってボード８に支持されている。また、ボード８の裏面には、図２０に示すように、操作竿１４１が前後方向に移動可能に支持されている。この操作竿１４１の後端には、カム１４２が形成されている。そして、この操作竿１４１の前端は、軸１４３ａによって揺動可能に支持されたリンク１４３によってリセットボタン１４０に連結されている。
一方、ボード８の表面には、図３に示すように、押下片１４４が上下方向へスライド可能に支持され、この押下片１４４の下端がコイン収容部Ｂのコインストッパ解放レバー３１の他端に対向されている。この押下片１４４とボード８との間には、ばね１４５が掛け渡されており、該ばねによって押下片１４４は上方へ付勢されている。また、押下片１４４は、ピン１４６を介して押下片作動レバー１４７に連結されている。この押下片作動レバー１４７は、軸１４７ａによってボード８に支持され、先端が操作竿１４１のカム１４２に当接している。
【００５１】
このリセット部Ｈでは、リセットボタン１４０が操作されると、リンク１４３を介して操作竿１４１が前方に移動する。すると、操作竿１４１のカム１４２によって押下片作動レバー１４７が動作し、押下片１４４が下降する。このようにして、押下片１４４が下降すると、該押下片によってコイン収容部Ｂのコインストッパ解放レバー３１が動作し、それによって、上述したように、スライドブロック２１，２３のコインストッパ２１ａ，２３ａが動作し、コイン通路９ｃ，９ｅが解放される。したがって、コイン通路９ｃ，９ｅに収容されていたコインＷ，Ｘが払い戻される。
【００５２】
さらに、このリセット部Ｈでは、第３のコイン選別Ａ３のプレート１４ｂを開成するためのリセットレバー１４８が配設されている。このリセットレバー１４８は、中間部が軸１４８ａによって回動可能に支持され、先端が操作竿１４１に連係されている。このリセットレバー１４８の他端には、ピン１４９が立設されている。このピン１４９は、ボード８の表面側に突出され、その先端は、図６に示すレバー１６ｂに当接されている。
そして、操作竿１４１が操作されると、リセットレバー１４８が作動され、それに伴って、ピン１４９が動作し、レバー１６ｂを介して図６に示すコイン収容部Ａ３のプレート１４ｂが開成し、コイン通路が拡開する。すなわち、ピン１４９が動作すると、レバー１６ｂが押し下げられ軸１６ｃを中心に下方に回転した際にカム１６ａも下方に動作し、これによって、突起１６ａがプレート１４ｂの内面のカムを倣い、これによって、プレート１４ｂが開成し、コイン通路が拡開する。したがって、コイン収容部Ａ３内にコインが詰まったような場合には、リセットボタン１４０を操作することによってコインをコイン収容部Ａ３から排除することができる。
【００５３】
以上のように構成された商品排出機１は、以下のように動作する。
コインＷ，Ｘが投入されていない状態において、操作ハンドル６を操作すると、操作力は、レバー作動円盤１００を介してハンドルロック部Ｄのスライド片作動レバー６２に伝達されるが、ロックピン孔６６，６７のストッパ面６６ａ，６７ａがロックピン７８，７９に突き当たるので、ロック用スライド片６０の後方への移動が阻止される。
したがって、操作ハンドル６の排出操作がロックされ、商品排出用の円筒カム１０５を回転させることができない。その結果、商品が排出されることはない。
【００５４】
コイン投入口３から必要なコインＷ，Ｘを投入すると、コインＷ，Ｘは第１のコイン選別部Ａ１，第２のコイン選別部Ａ２，第３のコイン選別部Ａ３を経て、コイン通路９ｃ，９ｅを経てコイン収容部Ｂへ落下する。そして、コインＷ，Ｘは、図９に２点鎖線で示したように、スライドブロック２１，２３のコインストッパ２１ａ，２３ａに留められる。コインＷ，Ｘが所定枚数（図９では、１枚）収容されると、最上位のコインＷ，Ｘの上端は、ロック用スライド片６０のカム９２，９３の後方に位置することになる。
なお、コイン投入口３から投入された対象外のコインＹ，Ｚは、コイン通路９ｄ、９ｆを経てコイン進路変更部Ｃに導かれ、開成されているフラップ４５，４６によって第１の孔４２及び第２の孔４３に飲み込まれ該コイン進路変更部Ｃのコイン返却通路４１を経てコイン返却口４に戻される。
【００５５】
この状態で、操作ハンドル６を初動させると、操作力は、レバー作動円盤１００を介してスライド片作動レバー６２に伝達され、ロック用スライド片６０が後方へ動作する。すると、ロックレバー７６，７７のカム９２，９３がコインＷ，Ｘの上端に倣って動作（摺接）してコインＷ，Ｘを乗越え、遊動片８８，８９が上動し、ロックレバー７６，７７が上動する。それに伴って、ロックレバー７６，７７のロックピン７８，７９が上動して、ストッパ面６６ａ，６７ａの移動域から外れる。
したがって、ロック用スライド片６０は、さらに後方への移動が許容される。そこで、操作ハンドル６を排出操作することによって、図２１に示すように、ロック用スライド片６０が後方へ移動するので、操作ハンドル６は阻止されることなく回転し、商品が商品排出口２へ排出される。
【００５６】
ロック用スライド片６０が後方へ移動されると、該ロック用スライド片のカム片７２，７３は、コインストッパ解放レバー３１及びコイン進路変更レバー５１を動作させる（図２１参照）。
コイン進路変更レバー５１が動作すると、該レバーは、押下片５０を押し下げ、その先端でコイン進路変更部Ｃのフラップ作動レバー４９を動作させる。そして、このフラップ作動レバー４９は、軸４７を介してフラップ４５，４６を閉成させる。
一方、コインストッパ解放レバー３１が動作すると、該レバーは、リンク２７を介してガイドロッド２０ｂを回動させ、また、リンク３２，２８を介してガイドロッド２２ｂを回動させる。そして、ガイドロッド２０ｂ、２２ｂは、コインＷ，Ｘをコイン収容部Ｂに留めていたコインストッパ２１ａ，２３ａをコイン通路９ｃ，９ｅから退避させ、コインＷ，Ｘをコイン進路変更部Ｃへ落下させる。
したがって、コインＷ，Ｘはそのまま落下して金庫４４へ導かれる。
【００５７】
そして、操作ハンドル６が１回転すると、スライド片作動レバー６２の下端は、レバー作動円盤１００の切欠き１０２に落ち込み、それに伴って、ねじりコイルばね６４の付勢力によって、ロック用スライド片６０は初期位置に復帰する。
【００５８】
また、この商品排出機において、カードＳを使用して商品を排出させるには、カードＳをカード読取器に挿入し、押込片１３１を動作させればよい。
押込片１３１が動作すると、押込片１３１によってロック解除片１２０が後方へ動作する。そして、ロック解除片１２０が、図１９に示した位置に停止する。この状態においては、カム１２５，１２６がロックピン７８，７９の手前に位置する。また、係合条片１２７の前端には、係合レバー１２８の係合爪１２８ａが係合し、それによってロック解除片１２０は、ロック用スライド片６０に一体化する。この状態で、操作ハンドル６を排出操作すると、カム１２５，１２６によって、ロックピン７８，７９が押し上げられ、それらのロックピンはストッパ面６６ａ，６７ａの移動域から外れる。
したがって、ロック用スライド片６０は後方へ動作し、商品が商品排出口２へ排出される。なお、ロック用スライド片６０が後方へ動作すると、それに伴って、ロックピン７８，７９は、ガイド用スライド片６０に対して相対的に前方へ移動する。そして、ロックピン７９が係合レバー１２８に突き当たり、該レバー１２８を、図１９において反時計方向に回動させる。したがって、係合レバー１２８の係合爪１２８ａがロック解除片１２０の係合条片１２７から外れ、ロック解除片１２０はロック用スライド片６０から解放される。それに伴って、ロック解除片１２０はばね１２９の付勢力によって前方へ動作する。
【００５９】
そして、操作ハンドル６が１回転すると、スライド片作動レバー６２の下端は、レバー作動円盤１００の切欠き１０２に落ち込み、それに伴って、ねじりコイルばね６４の付勢力によって、ロック用スライド片６０は初期位置に復帰する。
【００６０】
また、この商品排出機１では、コイン収容部Ｂ−１，Ｂ−２の少なくとも一方の設定枚数を０（ゼロ）枚として、商品を排出させることもできる。
この場合、コイン収容部Ｂにおけるスライドブロック２１，２３を上方へ移動させ、そのロック解除片２１ｂ，２３ｂをロック用スライド片６０における遊動片８８，８９のカム９０，９１の後方に位置させる（図３及び図９参照）。
ここで、ロック用スライド片６０が動作すると、カム９０，９１がロック解除片２１ｂ、２３ｂの上端を倣って乗り超えることで、遊動片８８，８９が上動し、それによってロックピン７８，７９が動作し、ロック用スライド片６０のロックが解除される。
【００６１】
以上、本発明の実施形態について説明したが、本発明はかかる実施形態に限定されないことはいうまでもない。
例えば、コイン収容部として操作ハンドル６と連動して回転する２つの回転体それぞれに切欠きを設け、その切欠きをコイン収容部として構成し、２つの切欠きにそれぞれ設定枚数のコインが収容された際に、操作ハンドルを回転可能とするように構成してもよい。
【００６２】
また、上記実施形態では、商品としてカード玩具を排出するものについて説明したが、本発明はカプセル玩具その他の玩具や、食品、例えばガムやキャラメルなどを排出するものにも適用可能である。
【００６３】
また、上記実施形態では、コイン収容部Ｂにおいて主面が面一となるように上下方向に並べ、この最上のコインの上端を摺接する動作部材によって、コインが設定枚数に達したかどうかを検出するようにしたが、例えば、コイン収容部にコインを重畳させるように収容し、その重畳されたコインの中の１つのコイン主面に摺接する動作部材によってコイン枚数が設定枚数に達したかどうかを検出するようにしてもよい。
【図面の簡単な説明】
【００６４】
【図１】本発明に係る商品排出機の外観を概念的に示した斜視図である。
【図２】図１に示した商品排出機の内部に設置されるハンドル操作機構ユニットを概念的に示した斜視図である。
【図３】図２に示したハンドル操作機構ユニットの一部を切欠いて示した正面図である。
【図４】ハンドル操作機構ユニットのコイン通路を示した正面図である。
【図５】図３におけるＶ−Ｖ線断面図である。
【図６】第３のコイン選別部を示した斜視図である。
【図７】第３のコイン選別部におけるコイン選別作用を説明するための正面図である。
【図８】コイン収容部のスライドブロックを概念的に示した斜視図である。
【図９】図２におけるＩＸ−ＩＸ線断面図である。
【図１０】図３におけるＸ−Ｘ線断面図である。
【図１１】ハンドルロック部を構成する要素を概念的に示した分解斜視図である。
【図１２】ハンドルロック部のスライド片を組付けた状態を示した正面図である。
【図１３】ハンドル操作部の一部分を概念的に示した斜視図である。
【図１４】ハンドル操作部の他の部分を概念的に示した斜視図である。
【図１５】ハンドル操作部の初期状態を示した説明図である。
【図１６】ハンドル操作部の動作途中状態を示した説明図である。
【図１７（Ａ）】ハンドル操作部の動作を制限する回転制限部を示した模式図で、操作ハンドルの非作動状態を示している。
【図１７（Ｂ）】ハンドル操作部の動作を制限する回転制限部を示した模式図で、操作ハンドルの動作初期状態を示している。
【図１７（Ｃ）】ハンドル操作部の動作を制限する回転制限部を示した模式図で、操作ハンドルの動作初期状態を経過した状態を示している。
【図１７（Ｄ）】ハンドル操作部の動作を制限する回転制限部を示した模式図で、操作ハンドルの動作終期状態状態を示している。
【図１７（Ｅ）】ハンドル操作部の動作を制限する回転制限部を示した模式図で、ロック用スライド片が途中で停止した状態で、操作ハンドルを回転させた場合の状態を示している。
【図１８】コインによらずに操作ハンドルのロックを解除するためのロック解除部を示した正面図である。
【図１９】ロック解除部において、ロック解除片が作動された状態を示した正面図である。
【図２０】ボードの裏面に構成されたリセット部を示した裏面図である。
【図２１】ハンドルロック部が作動された状態を示した正面図である。
【符号の説明】
【００６５】
１  商品排出機
３  コイン投入口
５  カード挿入口
６  操作ハンドル
７  ハンドル操作機構ユニット
Ａ  コイン選別部
Ａ１  第１のコイン選別部
Ａ２  第２のコイン選別部
Ａ３  第３のコイン選別部
Ｂ  コイン収容部
Ｂ１  第１のコイン収容部
Ｂ２  第２のコイン収容部
Ｃ  コイン進路変更部
Ｄ  第１のハンドルロック部
６０  ロック用スライド片
６６，６７  ロックピン孔
７８，７９  ロックピン
Ｅ  第１のハンドルロック解除部
Ｆ  回転制限部（回転制限手段）
Ｇ  第２のハンドルロック部
１３４  駆動装置
Ｈ  リセット部
【図１】
2008027226.tif 000003
【図２】
2008027226.tif 000004
【図３】
2008027226.tif 000005
【図４】
2008027226.tif 000006
【図５】
2008027226.tif 000007
【図６】
2008027226.tif 000008
【図７】
2008027226.tif 000009
【図８】
2008027226.tif 000010
【図９】
2008027226.tif 000011
【図１０】
2008027226.tif 000012
【図１１】
2008027226.tif 000013
【図１２】
2008027226.tif 000014
【図１３】
2008027226.tif 000015
【図１４】
2008027226.tif 000016
【図１５】
2008027226.tif 000017
【図１６】
2008027226.tif 000018
【図１７（Ａ）】
2008027226.tif 000019
【図１７（Ｂ）】
2008027226.tif 000020
【図１７（Ｃ）】
2008027226.tif 000021
【図１７（Ｄ）】
2008027226.tif 000022
【図１７（Ｅ）】
2008027226.tif 000023
【図１８】
2008027226.tif 000024
【図１９】
2008027226.tif 000025
【図２０】
2008027226.tif 000026
【図２１】
2008027226.tif 000027